【手続補正書】
【提出日】平成20年9月1日(2008.9.1)
【手続補正１】
【補正対象書類名】特許請求の範囲
【補正対象項目名】全文
【補正方法】変更
【補正の内容】
【特許請求の範囲】
【請求項１】
回転する記録ディスク上を浮上するスライダと、
前記スライダに配置されたヘッド素子部と、
前記スライダに配置され、前記ヘッド素子部を熱膨張によって突出させて前記記録ディスクとの間のクリアランスを調整するヒータと、
前記スライダを保持し移動するアクチュエータと、
前記スライダを前記記録ディスク外へ退避させるため、前記アクチュエータの一部が乗り上げるランプと、
退避している前記スライダを前記記録ディスク上にロードする処理において、前記スライダが前記記録ディスク上に移動してから前記アクチュエータの一部が前記ランプを離れた後の予め定められたタイミングまでの間、前記ヒータをＯＦＦ状態に維持し、前記アクチュエータの移動開始から前記ヘッド素子部が予め定められた数のサーボ・データを読み出すまでの間、前記ヒータをＯＦＦ状態に維持するように制御するコントローラと、を備えるディスク・ドライブ。
【請求項２】
前記ディスク・ドライブは温度検出器をさらに備え、
前記スライダが前記記録ディスク上に移動してから前記アクチュエータの一部が前記ランプを離れた後の予め定められたタイミングまでの間、前記コントローラは、前記温度検出器の検出温度が基準温度以上の場合に前記ヒータをＯＦＦ状態に維持し、前記温度検出器の検出温度が前記基準温度よりも低い場合に前記ヒータをＯＮ状態に維持するように制御する、
請求項１に記載のディスク・ドライブ。
【請求項３】
前記コントローラは、前記記録ディスクからのユーザ・データの読み出しのために、前記温度検出器の検出温度が第２の基準温度よりも低い場合に最も大きい電流を前記ヒータに供給するように制御し、
前記ロード処理における前記基準温度は前記第２の基準温度よりも低い、
請求項２に記載のディスク・ドライブ。
【請求項４】
前記コントローラは、前記ロード処理が完了するまで前記ヒータをＯＦＦ状態に維持する、
請求項１に記載のディスク・ドライブ。
【請求項５】
前記ディスク・ドライブは温度検出器をさらに備え、
前記温度検出器の検出温度が基準温度よりも低い場合に、前記コントローラは、前記アクチュエータが移動を開始してから予め定められた時間経過した後に前記ヒータをＯＮする、請求項１に記載のディスク・ドライブ。
【請求項６】
前記コントローラは、前記記録ディスクからのユーザ・データの読み出しのために、前記温度検出器の検出温度が第２の基準温度よりも低い場合に最も大きい電流を前記ヒータに供給するように制御し、
前記ロード処理における前記基準温度は前記第２の基準温度よりも低い、
請求項５に記載のディスク・ドライブ。
【請求項７】
回転する記録ディスク上を浮上するスライダと、
前記スライダに配置されたヘッド素子部と、
前記スライダに配置され、前記ヘッド素子部を熱膨張によって突出させて前記記録ディスクとの間のクリアランスを調整するヒータと、
前記スライダを保持し移動するアクチュエータと、
前記スライダを前記記録ディスク外へ退避させるため、前記アクチュエータの一部が乗り上げるランプと、
前記スライダを前記記録ディスク上から前記記録ディスク外へアンロードする処理において、前記記録ディスクから読み出したサーボ・データを使用して、前記サーボ・データを読み出している間において前記ヒータをＯＮし、前記アクチュエータの一部が前記ランプに乗り上げる前から前記ヒータをＯＦＦ状態に維持して前記アクチュエータを停止位置まで駆動制御するコントローラと、
を備えるディスク・ドライブ。
【請求項８】
前記ディスク・ドライブは、前記ヘッド素子部の温度を検出する温度検出器をさらに備え、
前記コントローラは、前記温度検出器の検出温度が基準温度より低い場合に、前記サーボ・データを読み出している間において前記ヒータをＯＮする、
請求項７に記載のディスク・ドライブ。
【請求項９】
前記コントローラは、前記記録ディスクからのユーザ・データの読み出しのために、前記温度検出器の検出温度が第２の基準温度よりも低い場合に最も大きい電流を前記ヒータに供給するように制御し、
前記基準温度は前記第２の基準温度よりも低い、
請求項８に記載のディスク・ドライブ。
【請求項１０】
前記コントローラは、前記スライダを前記記録ディスク外へアンロードするために前記アクチュエータが移動を開始してから前記停止位置に到着するまで、前記ヒータをＯＦＦに維持する、
請求項７に記載のディスク・ドライブ。
【請求項１１】
回転する記録ディスク上を浮上するスライダと、
前記スライダに配置されたヘッド素子部と、
前記スライダに配置され、前記ヘッド素子部を熱膨張によって突出させて前記記録ディスクとの間のクリアランスを調整するヒータと、
前記スライダを保持し移動するアクチュエータと、
前記スライダを前記記録ディスク外へ退避させるため、前記アクチュエータの一部が乗り上げるランプと、
前記スライダを前記記録ディスク上から前記記録ディスク外へアンロードする処理において、前記記録ディスク上のサーボ・データを使用して前記アクチュエータを制御するサーボ使用モードと使用しないサーボ不使用モードとを備え、前記サーボ使用モードにおいて前記ヒータをＯＮし、前記不使用モードにおいて前記ヒータをＯＦＦし、前記アクチュエータの一部が前記ランプに乗り上げる前から前記ヒータをＯＦＦ状態に維持して前記アクチュエータを停止位置まで駆動制御するコントローラと、
を備えるディスク・ドライブ。
【請求項１２】
回転する記録ディスク上を浮上するスライダと、
前記スライダに配置されたヘッド素子部と、
前記スライダに配置され、前記ヘッド素子部を熱膨張によって突出させて前記記録ディスクとの間のクリアランスを調整するヒータと、
前記スライダを保持し移動するアクチュエータと、
前記スライダを前記記録ディスク外へ退避させるため、前記アクチュエータの一部が乗り上げるランプと、
前記ヘッド素子部の温度を検出する温度検出器と、
前記スライダを前記記録ディスク上から前記記録ディスク外へアンロードする処理において、前記温度検出器の検出温度が基準温度より低い場合に前記サーボ使用モードにおいて前記ヒータをＯＮし、前記アクチュエータの一部が前記ランプに乗り上げる前から前記ヒータをＯＦＦ状態に維持して前記アクチュエータを停止位置まで駆動制御するコントローラと、
を備えるディスク・ドライブ。
【請求項１３】
前記コントローラは、前記記録ディスクからのユーザ・データの読み出しのために、前記温度検出器の検出温度が第２の基準温度よりも低い場合に最も大きい電流を前記ヒータに供給するように制御し、
前記基準温度は前記第２の基準温度よりも低い、
請求項１２に記載のディスク・ドライブ。
【請求項１４】
回転する記録ディスク上を浮上するスライダと、前記スライダに配置されたヘッド素子部と、前記スライダに配置され前記ヘッド素子部を熱膨張によって突出させて前記記録ディスクとの間のクリアランスを調整するヒータと、を備えるディスク・ドライブにおける制御方法であって、
前記スライダを保持し移動するアクチュエータの一部がランプ上に乗り上げている状態から、前記スライダが回転する記録ディスクに近づくように前記アクチュエータを駆動し、
前記スライダが前記記録ディスク上に移動してから前記アクチュエータの一部がランプを離れた後の予め定められたタイミングまでの間、前記ヒータをＯＦＦ状態に維持し、
前記ヘッド素子部の温度を検出し、
前記検出温度が基準温度よりも低い場合に、前記アクチュエータが移動を開始してからあらかじめ定められた時間経過した後に前記ヒータをＯＮする、方法であって、
前記記録ディスクからのユーザ・データの読み出しのために、前記検出温度が第２の基準温度よりも低い場合に最も大きい電流を前記ヒータに供給し、前記基準温度は前記第２の基準温度よりも低い、方法。